(57)【要約】【課題】釣った魚の情報を釣り人が容易に取得できるようにする。【解決手段】事業者サーバ２０Ｓは、ＩｏＴクーラーボックス６０から受信した画像データを画像解析することで、ＩｏＴクーラーボックス６０に収容されている魚の種類と種類ごとの数とを特定し、さらに特定した魚の種類に対応する買取価格を取得し、魚の種類及び種類ごとの数と、種類ごとの１匹あたりの買取価格及び合計買取価格と、現在時刻（つまり釣った日時）とを示す買取価格情報を生成して、これを釣り人５の釣り人端末５０に送信するようにした。【選択図】図１
2020140498.tif 000002
【特許請求の範囲】
【請求項１】
クーラーボックスの収容部を撮像して得られた画像データを受信する第１通信部と、
前記画像データを画像解析することで、前記クーラーボックスの収容部に収容された魚の種類を特定する画像処理部と、
前記画像処理部により特定された魚の種類に対応する価格を取得する魚価格取得部と、
前記画像処理部により特定された魚の種類と、前記魚価格取得部により取得された魚の価格とを示す釣魚情報を、所定の送信先へ送信する第２通信部と
を備えることを特徴とする釣魚情報提供装置。
【請求項２】
前記第１通信部は、
前記クーラーボックスの収容部を、前記クーラーボックスに設けられたカメラ部で撮像して得られた前記画像データを、前記クーラーボックスから受信し、
前記第２通信部は、
前記クーラーボックスを利用している釣り人が所有する通信端末に、前記釣魚情報を送信する
ことを特徴とする請求項１に記載の釣魚情報提供装置。
【請求項３】
前記第１通信部は、
前記クーラーボックスの収容部を、前記クーラーボックスを利用している釣り人が所有する通信端末に設けられたカメラ部で撮像して得られた前記画像データを、前記通信端末から受信し、
前記第２通信部は、
前記釣り人の通信端末に、前記釣魚情報を送信する
ことを特徴とする請求項１に記載の釣魚情報提供装置。
【請求項４】
前記画像処理部は、
前記画像データを画像解析することで、前記クーラーボックスの収容部に収容された魚の種類と種類ごとの数とを特定し、
前記第２通信部は、
前記画像処理部により特定された魚の種類及び種類ごとの数と、魚の種類ごとの価格とを示す釣魚情報を、前記クーラーボックスを利用している釣り人が所有する通信端末に送信する
ことを特徴とする請求項１〜３のいずれかに記載の釣魚情報提供装置。
【請求項５】
情報管理部を備え、
前記第１通信部は、
前記クーラーボックスから、前記画像データとともに、前記クーラーボックスに設けられた温度センサにより検出された前記収容部の温度を示す温度情報を受信し、
前記情報管理部は、
前記画像データと、前記温度情報と、前記釣魚情報とを対応付けて記憶部に記憶管理する
ことを特徴とする請求項１〜４のいずれかに記載の釣魚情報提供装置。
【請求項６】
情報管理部を備え、
前記第１通信部は、
前記クーラーボックスから、前記画像データとともに、前記クーラーボックスに設けられた測位部から得られる前記クーラーボックスの位置情報を受信し、
前記情報管理部は、
前記画像データと、前記位置情報と、前記釣魚情報とを対応付けて記憶部に記憶管理する
ことを特徴とする請求項１〜４のいずれかに記載の釣魚情報提供装置。
【請求項７】
コンピュータを、
クーラーボックスの収容部を撮像して得られた画像データを受信する第１通信部と、
前記画像データを画像解析することで、前記クーラーボックスの収容部に収容された魚の種類を特定する画像処理部と、
前記画像処理部により特定された魚の種類に対応する価格を取得する魚価格取得部と、
前記画像処理部により特定された魚の種類と、前記魚価格取得部により取得された魚の価格とを示す釣魚情報を、所定の送信先へ送信する第２通信部と
して機能させるための釣魚情報提供プログラム。
【請求項８】
第１通信部が、クーラーボックスの収容部を撮像して得られた画像データを受信し、
画像処理部が、前記画像データを画像解析することで、前記クーラーボックスの収容部に収容された魚の種類を特定し、
魚価格取得部が、前記画像処理部により特定された魚の種類に対応する価格を取得し、
第２通信部が、前記画像処理部により特定された魚の種類と、前記魚価格取得部により取得された魚の価格とを示す釣魚情報を、所定の送信先へ送信する
ことを特徴とする釣魚情報提供方法。
【請求項９】
クーラーボックスと釣魚情報提供装置とを有し、
前記クーラーボックスは、
前記クーラーボックスの収容部を撮像して画像データを得るカメラ部と、
前記カメラ部により得られた前記画像データを画像解析することで、前記クーラーボックスの収容部に収容された魚の種類を特定する画像処理部と、
前記画像処理部により特定された魚の種類を示す魚種情報を、前記釣魚情報提供装置に送信するボックス側通信部と
を備え
前記釣魚情報提供装置は、
前記クーラーボックスから前記魚種情報を受信する第１通信部と、
前記第１通信部により受信された前記魚種情報をもとに、当該魚種情報が示す魚の種類に対応する価格を取得する魚価格取得部と、
前記魚種情報が示す魚の種類と、前記魚価格取得部により取得された魚の価格とを示す釣魚情報を、所定の送信先へ送信する第２通信部と
を有する
ことを特徴とする釣魚情報提供システム。
【請求項１０】
前記クーラーボックスは、
前記収容部に対して開閉する蓋部と、前記蓋部の開閉を検知する開閉検知センサとを備え、
前記開閉検知センサにより前記蓋部が閉じたことを検知すると、前記カメラ部が前記クーラーボックスの収容部を撮像する
ことを特徴とする請求項９に記載の釣魚情報提供システム。
【発明の詳細な説明】
【技術分野】
【０００１】
本発明は、釣魚情報提供装置、釣魚情報提供プログラム、釣魚情報提供方法及び釣魚情報提供システムに関するものである。
【背景技術】
【０００２】
従来、釣り人が釣った魚の多くは、釣り人に食される、釣り人の知人に配られる、廃棄されるなどして、処分されていた。一方で、近年、釣り人が釣った魚を買い取ってくれるサービスが普及しつつある（例えば特許文献１参照）。
【０００３】
この種のサービスでは、例えば、釣り人が、釣った魚の種類、数量などの情報を携帯電話機などの通信端末に入力すると、この情報がサーバに送信される。サーバは、この情報をもとに、釣り人が釣った魚の種類、数量、販売価格などからなる販売情報を生成して、これをインターネット上に公開する。そして、インターネット上に公開された販売情報に対する注文が入り、購入者からの入金が確認されると、サービス事業者から釣り人に代金が支払われるようになっていた。尚、釣った魚は、釣り人から直接、もしくはサービス事業者を介して、購入者に送られるようになっている。
【先行技術文献】
【特許文献】
【０００４】
【特許文献１】特開２００３−１５７３０１号公報
【発明の概要】
【発明が解決しようとする課題】
【０００５】
しかしながら、従来のサービスでは、釣り人が、釣った魚の種類、買取価格などの釣魚情報を、サービス事業者のホームページを閲覧するなどして、自分で調べなければならず、釣り人が、釣った魚の情報を容易に取得することができないという問題を有していた。
【０００６】
本発明は以上の点を考慮したものであり、釣った魚の情報を釣り人が容易に取得できるようにした釣魚情報提供装置、釣魚情報提供システム、釣魚情報提供プログラム、及び釣魚情報提供方法を提案しようとするものである。
【課題を解決するための手段】
【０００７】
本発明の釣魚情報提供装置は、クーラーボックスの収容部を撮像して得られた画像データを受信する第１通信部と、前記画像データを画像解析することで、前記クーラーボックスの収容部に収容された魚の種類を特定する画像処理部と、前記画像処理部により特定された魚の種類に対応する価格を取得する魚価格取得部と、前記画像処理部により特定された魚の種類と、前記魚価格取得部により取得された魚の価格とを示す釣魚情報を、所定の送信先へ送信する第２通信部とを備えるようにした。
【０００８】
本発明の釣魚情報提供プログラムは、コンピュータを、クーラーボックスの収容部を撮像して得られた画像データを受信する第１通信部と、前記画像データを画像解析することで、前記クーラーボックスの収容部に収容された魚の種類を特定する画像処理部と、前記画像処理部により特定された魚の種類に対応する価格を取得する魚価格取得部と、前記画像処理部により特定された魚の種類と、前記魚価格取得部により取得された魚の価格とを示す釣魚情報を、所定の送信先へ送信する第２通信部として機能させるようにした。
【０００９】
本発明の釣魚情報提供方法は、第１通信部が、クーラーボックスの収容部を撮像して得られた画像データを受信し、画像処理部が、前記画像データを画像解析することで、前記クーラーボックスの収容部に収容された魚の種類を特定し、魚価格取得部が、前記画像処理部により特定された魚の種類に対応する価格を取得し、第２通信部が、前記画像処理部により特定された魚の種類と、前記魚価格取得部により取得された魚の価格とを示す釣魚情報を、所定の送信先へ送信するようにした。
【００１０】
これにより本発明は、例えば、釣り人がクーラーボックスに収容した魚をスマートフォンなどの通信端末のカメラ部で撮像するだけで、釣魚情報提供装置から釣り人の通信端末へ釣った魚の釣魚情報が送信される。
【００１１】
本発明の釣魚情報提供システムは、クーラーボックスと釣魚情報提供装置とを有し、前記クーラーボックスは、前記クーラーボックスの収容部を撮像して画像データを得るカメラ部と、前記カメラ部により得られた前記画像データを画像解析することで、前記クーラーボックスの収容部に収容された魚の種類を特定する画像処理部と、前記画像処理部により特定された魚の種類を示す魚種情報を、前記釣魚提供装置に送信するボックス側通信部とを備え、前記釣魚提供装置は、前記クーラーボックスから前記魚種情報を受信する第１通信部と、前記第１通信部により受信された前記魚種情報をもとに、当該魚種情報が示す魚の種類に対応する価格を取得する魚価格取得部と、前記魚種情報が示す魚の種類と、前記魚価格取得部により取得された魚の価格とを示す釣魚情報を、所定の送信先へ送信する第２通信部とを有するようにした。
【００１２】
これにより本発明は、例えば、釣り人がクーラーボックスに釣った魚を入れるだけで、釣魚情報提供装置から釣り人の通信端末へ釣った魚の釣魚情報が送信される。
【発明の効果】
【００１３】
かくして本発明は、釣った魚の情報を釣り人が容易に取得できるようにした釣魚情報提供装置、釣魚情報提供プログラム、釣魚情報提供方法、及び釣魚情報提供システムを実現できる。
【図面の簡単な説明】
【００１４】
【図１】第１の実施の形態による釣魚買取システムの構成を示す図である。
【図２】第１の実施の形態による事業者サーバの構成を示すブロック図である。
【図３】第１の実施の形態による漁協端末の構成を示すブロック図である。
【図４】第１の実施の形態による釣り人端末の構成を示すブロック図である。
【図５】第１の実施の形態によるＩｏＴクーラーボックスの構成を示すブロック図である。
【図６】第１の実施の形態による釣魚買取サービスの流れを示すシーケンスチャートである。
【図７】図６のシーケンスチャートにつづくシーケンスチャートである。
【図８】第２の実施の形態によるＩｏＴクーラーボックスの構成を示すブロック図である。
【図９】第２の実施の形態による釣魚買取サービスの流れを示すシーケンスチャートである。
【図１０】他の実施の形態によるＩｏＴクーラーボックスの構成を示すブロック図である。
【発明を実施するための形態】
【００１５】
以下、発明を実施するための形態（以下、これを実施の形態と呼ぶ）について、図面を用いて詳細に説明する。
【００１６】
［１．第１の実施の形態］
［１−１．釣魚買取システムの構成］
まず図１を用いて、第１の実施の形態による釣魚買取システム１の構成について説明する。この釣魚買取システム１は、サービス事業者２と、漁協３と、釣り具店４とが協同して、釣り人５に、釣った魚を買い取る釣魚買取サービスを提供するシステムである。
【００１７】
この釣魚買取システム１は、サービス事業者２が有する事業者サーバ２０Ｓ及びＰＣ（パーソナルコンピュータ）などの通信端末（以下、これを事業者端末と呼ぶ）２０Ｔと、漁協３が有するＰＣなどの通信端末（以下、これを漁協端末と呼ぶ）３０と、釣り人５が有するスマートフォンなどの通信端末（以下、これを釣り人端末と呼ぶ）５０と、釣り具店４から釣り人５に貸し出されるＩｏＴクーラーボックス６０とで構成される。尚、ＩｏＴは、Ｉｎｔｅｒｎｅｔ  ｏｆ  Ｔｈｉｎｇｓの略である。
【００１８】
事業者サーバ２０Ｓは、所定のネットワークを介して、事業者端末２０Ｔ、漁協端末３０及び釣り人端末５０と通信可能となっている。ＩｏＴクーラーボックス６０は、通信機能を備え、所定のネットワークを介して、事業者サーバ２０Ｓと通信可能になっている。
【００１９】
［１−２．各部の構成］
ここで、図２〜図５に示すブロック図を用いて、事業者サーバ２０Ｓ、漁協端末３０、釣り人端末５０、ＩｏＴクーラーボックス６０のそれぞれの構成について説明する。尚、事業者端末２０Ｔは、漁協端末３０と同様のＰＣ構成であることから、ここでは説明を省略する。
【００２０】
まず図２を用いて事業者サーバ２０Ｓの構成について説明する。図２に示すように、事業者サーバ２０Ｓは、制御部２１と、記憶部２２と、第１通信部２３と、第２通信部２４とを有している。制御部２１は、ＣＰＵとメモリとで構成され、記憶部２２に記憶されているプログラムをメモリ上に読み込んで実行することにより各種機能を実現するようになっている。
【００２１】
具体的に、この制御部２１は、ＯＳ処理部２５と、アプリケーション処理部２６として機能する。ＯＳ処理部２５は、記憶部２２に格納されている基本ソフトウェアで実現される機能部であり、アプリケーション処理部２６で実行されるアプリケーションの基本機能などを有している。
【００２２】
アプリケーション処理部２６は、記憶部２２に格納されている各種アプリケーションを処理することで各種機能を実現する機能部であり、画像処理部２７、情報管理部２８、及び魚価格取得部２９として機能する。画像処理部２７は、ＩｏＴクーラーボックス６０から送信されてくる、ＩｏＴクーラーボックス６０に収容されている魚を撮像して得られた画像データを画像解析することで、ＩｏＴクーラーボックス６０に収容されている魚の種類と種類ごとの数とを特定する。尚、画像データに画像として含まれている魚の種類を特定するアルゴリズムについては、例えば、既存のアルゴリズムを用いればよい。
【００２３】
情報管理部２８は、釣り人５に関する釣り人情報と、魚に関する魚情報とを、記憶部２２に記憶管理する。ここで、釣り人情報は、釣り人５ごとに管理される情報であり、例えば、釣り人５を識別可能な釣り人識別情報と、魚の買取代金の振り込み先を示す口座情報と、釣り人５が借りたＩｏＴクーラーボックス６０を識別可能なボックス識別情報と、ＩｏＴクーラーボックス６０から受信した画像データを含んでいる。一方、魚情報は、魚の種類ごとに管理される情報であり、魚の種類と、買取価格とを含んでいる。
【００２４】
魚価格取得部２９は、情報管理部２８が管理している魚情報をもとに、画像処理部２７により特定された魚の種類に対応する買取価格を取得する。
【００２５】
記憶部２２は、各種プラグラム及び各種情報を記憶する部分であり、例えばハードディスクや不揮発性メモリである。第１通信部２３は、ＩｏＴクーラーボックス６０と通信する部分である。第２通信部２４は、事業者端末２０Ｔ、漁協端末３０、及び釣り人端末５０と通信する部分である。事業者サーバ２０Ｓの構成は、以上のようになっている。
【００２６】
次に図３を用いて漁協端末３０の構成について説明する。漁協端末３０は、制御部３１と、記憶部３２と、操作部３３と、表示部３４と、通信部３５とを有している。制御部３１は、ＣＰＵとメモリとで構成され、記憶部２２に記憶されているプログラムをメモリ上に読み込んで実行することにより各種機能（例えばＷｅｂブラウザ）を実現するようになっている。
【００２７】
記憶部２２は、各種プログラム及び各種情報を記憶する部分であり、例えばハードディスクや不揮発性メモリである。操作部３３は、操作入力を受け付ける部分であり、例えばキーボードやマウス、タッチパネルである。表示部３４は、各種画面（例えばＷｅｂブラウザ画面）を表示する部分であり、例えば液晶ディスプレイである。通信部３５は、事業者サーバ２０Ｓと通信する部分である。漁協端末３０の構成は、以上のようになっている。
【００２８】
次に図４を用いて釣り人端末５０の構成について説明する。釣り人端末５０は、制御部５１と、記憶部５２と、操作表示部５３と、カメラ部５４と、通信部５５とを有している。制御部５１は、ＣＰＵとメモリとで構成され、記憶部５２に記憶されているプログラムをメモリ上に読み込んで実行することにより各種機能（例えば釣魚買取サービス利用機能）を実現するようになっている。
【００２９】
記憶部２２は、各種プログラム及び各種情報を記憶する部分であり、例えばハードディスクや不揮発性メモリである。操作表示部５３は、操作入力を受け付ける操作部と、各種画面（例えば釣魚買取サービス画面）を表示する表示部とで構成され、例えばタッチパネル付きディスプレイである。カメラ部５４は、被写体を撮像して画像データを得る部分である。通信部５５は、事業者サーバ２０Ｓと通信する部分である。釣り人端末５０の構成は、以上のようになっている。
【００３０】
次に図５を用いてＩｏＴクーラーボックス６０の構成について説明する、ＩｏＴクーラーボックス６０は、収容部６１と、蓋部６２と、開閉検知センサ６３と、制御部６４と、記憶部６５と、カメラ部６６と、ボックス側通信部としての通信部６７とを有している。
【００３１】
収容部６１は、内部空間に魚を収容できるようになっている。蓋部６２は、収容部６１に対して開閉自在に取り付けられ、閉じることで、収容部６１の内部空間を密閉できるようになっている。またこの蓋部６２の表面には、ＩｏＴクーラーボックス６０のボックス識別情報が付与されている。具体的には、例えば、ボックス識別情報を示すバーコードが印刷されたシールが貼り付けられている。開閉検知センサ６３は、収容部６１に対する蓋部６２の開閉を検知するセンサである。
【００３２】
制御部６４は、記憶部６５に記憶されているプログラムをメモリ上に読み込んで実行することにより各種機能（画像データ転送機能など）を実現するようになっている。記憶部６５は、各種プログラム及び各種情報を記憶する部分であり、例えば不揮発性メモリである。カメラ部６６は、収容部６１の内部空間を撮像して画像データを得る部分であり、例えば、蓋部６２の裏側に取り付けられている。通信部６７は、事業者サーバ２０Ｓと通信する部分であり、例えばデータ通信用のＳＩＭカードが装着されている。ＩｏＴクーラーボックス６０の構成は、以上のようになっている。
【００３３】
［１−３．釣魚買取サービスの流れ］
次に、図６、図７に示すシーケンスチャートを用いて、釣魚買取サービスの流れについて説明する。
【００３４】
まずステップＳＰ１において、漁協３の担当者が、漁協端末３０のＷｅｂブラウザを用いて、事業者サーバ２０Ｓが提供する釣魚買取サービスのＷｅｂアプリケーションにアクセスする。そして漁協３の担当者は、このＷｅｂアプリケーション上で、サービス事業者２と釣魚買取サービスの期間契約を結ぶ。尚、この契約は、所定期間（例えば１か月）、釣り人５が釣った魚を、漁協３側で買い取る契約である。
【００３５】
釣魚買取サービスの期間契約中、漁協３では、ステップＳＰ２において、担当者が、任意のタイミングで（例えば毎朝）、事業者端末２０ＴのＷｅｂブラウザを用いて、事業者サーバ２０Ｓが提供するＷｅｂアプリケーションにアクセスし、このＷｅｂアプリケーション上で、買取可能な魚の種類と買取価格とを入力する。事業者サーバ２０Ｓの制御部２１は、漁協端末３０により入力された、買取可能な魚の種類と買取価格とを情報管理部２８により魚情報として記憶部２２に記憶管理する。
【００３６】
一方、サービス事業者２の担当者は、事業者端末２０ＴのＷｅｂブラウザを用いて、事業者サーバ２０Ｓにアクセスすることで、漁協３により期間契約が結ばれたことを認識すると、ステップＳＰ３において、釣り具店４との間で、ＩｏＴクーラーボックス６０の貸し出し委託契約を結び、釣り具店４に、貸し出し用のＩｏＴクーラーボックス６０を置いてもらう。
【００３７】
釣り人５は、ステップＳＰ４において、釣り人端末５０にインストールされている、釣魚買取サービスのアプリケーションを起動させ、このアプリケーション上で、釣魚買取サービスの利用申請を行う。具体的に、釣り人５は、アプリケーション上で、ユーザＩＤなどの釣り人識別情報と、代金の振り込み先を示す口座情報とを入力する。釣り人端末５０の制御部５１は、釣魚買取サービスのアプリケーション上で入力された情報を、利用申請情報として、通信部５５により事業者サーバ２０Ｓへ送信する。
【００３８】
事業者サーバ２０Ｓの制御部２１は、第２通信部２４により、釣り人端末５０から利用申請情報を受信すると、これを情報管理部２８により釣り人５の釣り人情報として記憶部２２に記憶管理する。そして事業者サーバ２０Ｓの制御部２１は、ステップＳＰ５において、利用申請情報を送信してきた釣り人端末５０に対して釣魚買取サービスの利用許可（例えば１日のみの利用許可）を示す利用許可情報を送信する。この利用許可情報には、釣魚買取サービスの利用を許可する旨にくわえて、釣り具店４でＩｏＴクーラーボックス６０を借りて登録するよう指示する旨が示されている。
【００３９】
釣り人端末５０の制御部５１は、通信部５５により事業者サーバ２０Ｓから利用許可情報を受信すると、これを釣魚買取サービスのアプリケーション上に表示することにより、釣り人５に確認させる。釣り人５は、ステップＳＰ６において、この利用許可情報に基づき、釣り具店４でＩｏＴクーラーボックス６０を借りる。ここで、釣り人５は、ＩｏＴクーラーボックス６０を登録する為に、釣魚買取サービスのアプリケーション上に表示される指示にしたがって、ＩｏＴクーラーボックス６０の蓋部６２に付与されているボックス識別情報（バーコード）を、釣り人端末５０のカメラ部５４で撮像する。
【００４０】
釣り人端末５０の制御部５１は、ステップＳＰ７において、カメラ部５４で撮像されたボックス識別情報を、ステップＳＰ４で入力された釣り人識別情報とともに、通信部５５により事業者サーバ２０Ｓへ送信する。事業者サーバ２０Ｓの制御部２１は、第２通信部２４により、釣り人端末５０から釣り人識別情報とともにボックス識別情報を受信すると、このボックス識別情報を、情報管理部２８により記憶管理されている釣り人５の釣り人情報として記憶部２２に記憶管理する。この時点で、事業者サーバ２０Ｓの記憶部２２には、釣り人５の釣り人情報として、釣り人識別情報と、口座情報と、ボックス識別情報とが対応付けられて登録されたことになる。ここで、事業者サーバ２０Ｓが、釣り人端末５０に対して、ＩｏＴクーラーボックス６０の登録完了通知を送信するようにしてもよい。
【００４１】
このようにしてＩｏＴクーラーボックス６０を登録した後、釣り人５は、釣り場へと向かい、釣りを開始する。そして、魚が釣れると、ＩｏＴクーラーボックス６０の蓋部６２を開いて、釣った魚を収容部６１に入れ、蓋部６２を閉じる。
【００４２】
ＩｏＴクーラーボックス６０の制御部６４は、ステップＳＰ８において、開閉検知センサ６３により蓋部６２が閉じたことを検出すると、カメラ部６６により、収容部６１の内部空間を撮像して（つまり収容部６１に入れられた魚を撮像して）画像データを得、この画像データを、記憶部６５に記憶されているボックス識別情報とともに通信部６７により事業者サーバ２０Ｓに送信する。尚、蓋部６２が閉じると、収容部６１内が暗くなってしまうので、カメラ部６６では、例えば、フラッシュを用いて撮像するようになっている。
【００４３】
事業者サーバ２０Ｓの制御部２１は、第１通信部２３により、ＩｏＴクーラーボックス６０からボックス識別情報とともに画像データを受信すると、この画像データを、情報管理部２８により記憶管理されている釣り人５の釣り人情報として記憶部２２に記憶管理する。そして事業者サーバ２０Ｓの制御部２１は、ステップＳＰ９において、画像処理部２７により、ＩｏＴクーラーボックス６０から送られてきた画像データを画像解析することで、ＩｏＴクーラーボックス６０に収容されている魚の種類と種類ごとの数とを特定する。
【００４４】
つづくステップＳＰ１０において、事業者サーバ２０Ｓの制御部２１は、特定した魚の種類に対応する買取価格を、魚価格取得部２９によって、記憶部２２に記憶管理されている魚情報から取得する。そして、魚価格取得部２９は、魚の種類及び種類ごとの数と、種類ごとの１匹あたりの買取価格及び合計買取価格と、現在時刻（つまり釣った日時）とを示す、釣魚情報としての買取価格情報を生成する。この買取価格情報は、例えば「真鯛３匹、買取価格（目安）、１匹２０００円、３匹合計６０００円、釣り日時２０１９／１／１／７：３０」などのような文字情報である。尚、買取価格情報に示されている魚の買取価格は、目安であり、実際には大きさ、鮮度などにより買取価格が上下したり、買取価格から手数料が差し引かれたりする。
【００４５】
事業者サーバ２０Ｓの制御部２１は、このようにして生成した買取価格情報を、釣り人５の釣り人情報と紐付けて情報管理部２８により記憶部２２に記憶管理する。そして事業者サーバ２０Ｓの制御部２１は、つづくステップＳＰ１１において、釣り人５の釣り人端末５０からの要求に応じて、この買取価格情報を、第２通信部２４により、釣り人端末５０に送信する。釣り人端末５０側では、受信した買取価格情報を、釣魚買取サービスのアプリケーション上で確認できるようになっている。
【００４６】
尚、ステップＳＰ８〜ステップＳＰ１１の処理は、釣り人５がＩｏＴクーラーボックス６０を開閉するたびに（つまり釣った魚をＩｏＴクーラーボックス６０に入れるたびに）実行される処理であり、事業者サーバ２０Ｓによりその都度生成された買取価格情報が釣り人５の釣り人端末５０に送信されるようになっている。
【００４７】
釣り人５は、魚を釣ってＩｏＴクーラーボックス６０に入れるたびに、この買取価格情報を確認することで、入れた魚の種類と買取価格の目安を知ることができる。つまり、釣り人５は、この買取価格情報によって、釣った魚のうち、どれを漁協３に売り、どれを自分で持ち帰るかなどを容易に判断することができる。また、この買取価格情報によって、釣り人５が、高額な魚を漁協３に売る契機にもなる。尚、釣り人端末５０の制御部５１は、事業者サーバ２０Ｓから取得した買取価格情報を、記憶部５２に蓄積することで、釣魚買取サービスのアプリケーション上で買取価格情報の履歴をいつでも確認できるようなっている。
【００４８】
その後、釣りを終了した釣り人５は、ステップＳＰ１２において、ＩｏＴクーラーボックス６０を、買い取ってほしい魚を入れたまま、釣り具店４に返却する。釣り具店４の店員は、ステップＳＰ１３において、返却されたＩｏＴクーラーボックス６０を、クール便で漁協３に送る。
【００４９】
漁協３の担当者は、ＩｏＴクーラーボックス６０を受け取ると、漁協端末３０のＷｅｂブラウザを用いて、事業者サーバ２０Ｓが提供する釣魚買取サービスのＷｅｂアプリケーションにアクセスし、漁協端末３０に接続されている図示しないボックス識別情報読取装置により、ＩｏＴクーラーボックス６０に付与されているボックス識別情報（バーコード）を読み取る。これにより、事業者サーバ２０Ｓが提供するＷｅｂアプリケーションに、ＩｏＴクーラーボックス６０のボックス識別情報が入力される。
【００５０】
さらに漁協３の担当者は、ステップＳＰ１４において、ＩｏＴクーラーボックス６０から魚を取り出してチェックし、魚ごとの買取価格を決定して、買取価格の合計額を計算する。そして、漁協３の担当者は、漁協端末３０を用いて、事業者サーバ２０Ｓが提供するＷｅｂアプリケーション上で買取価格の合計額を入力し、Ｗｅｂアプリケーション上の完了ボタンを押下する。尚、この買取価格は、漁協３で実際に売る価格（つまり卸価格）から漁協３が受け取る手数料を差し引いた金額になっている。事業者サーバ２０Ｓの制御部２１は、漁協端末３０により入力された買取価格の合計額を、漁協３の口座からサービス事業者２の口座へと振り込む振り込み処理を実行する。尚、漁協３の口座を示す口座情報及びサービス事業者２の口座を示す口座情報は、記憶部２２に登録されているとする。
【００５１】
つづけて事業者サーバ２０Ｓの制御部２１は、漁協端末３０により入力された買取価格の合計額から、サービス事業者２が受け取る手数料と、釣り具店４に支払う手数料とを差し引いた金額を計算する。この金額が最終的に釣り人５に支払われる代金となる。そして、事業者サーバ２０Ｓの制御部２１は、ステップＳＰ１５において、記憶部２２に登録されている釣り具店４の口座情報をもとに、釣り具店４の口座に手数料を振り込む振り込み処理を実行する。これにより、釣り具店４に、手数料が支払われたことになる。
【００５２】
さらに事業者サーバ２０Ｓの制御部２１は、漁協端末３０により入力されたボックス識別情報をもとに、情報管理部２８によってＩｏＴクーラーボックス６０を借りていた釣り人５の口座情報を特定する。そして、事業者サーバ２０Ｓの制御部２１は、ステップＳＰ１６において、特定した釣り人５の口座情報をもとに、釣り人５の口座に釣った魚の代金を振り込む振り込み処理を実行する。これにより、釣り人５に、釣った魚の代金が支払われることになる。釣魚買取サービスの流れは、以上のようになっている。
【００５３】
［１−４．まとめと効果］
ここまで説明したように、第１の実施の形態による釣魚買取システム１では、釣り人５に貸し出されたＩｏＴクーラーボックス６０が、ＩｏＴクーラーボックス６０に入れられた魚を撮像して画像データを得、これを事業者サーバ２０Ｓに送信するようにした。事業者サーバ２０Ｓは、ＩｏＴクーラーボックス６０から受信した画像データを画像解析することで、ＩｏＴクーラーボックス６０に収容されている魚の種類と種類ごとの数とを特定する。
【００５４】
さらに事業者サーバ２０Ｓは、特定した魚の種類に対応する買取価格を、魚価格取得部２９によって、記憶部２２に記憶管理されている魚情報から取得する。そして事業者サーバ２０Ｓは、魚の種類及び種類ごとの数と、種類ごとの１匹あたりの買取価格及び合計買取価格と、現在時刻（つまり釣った日時）とを示す買取価格情報を生成して、これを釣り人５の釣り人端末５０に送信するようにした。
【００５５】
これにより、釣魚買取システム１では、釣り人５が、ＩｏＴクーラーボックス６０に釣った魚を入れるだけで、釣り人端末５０に、釣った魚の情報として、魚の種類及び種類ごとの数と、種類ごとの１匹あたりの買取価格及び合計買取価格と、現在時刻とを示す買取価格情報が送信されるので、釣った魚の種類や買取価格などの情報を釣り人５が容易に取得することができる。
【００５６】
さらに、釣魚買取システム１では、釣り人５に対して、釣った魚の種類や買取価格などの情報を提供することで、釣った魚のうち、どれを漁協３に売り、どれを自分で持ち帰るかなどを容易に判断することができる。またこうすることで、釣り人５が釣った魚を積極的に漁協３に売ってくれるようになり、無駄に処分されてしまう魚が減るとともに、市場に出回る魚の量が増え、結果として、漁師などによる魚の乱獲が減少すると考えられる。
【００５７】
さらに、釣魚買取システム１では、ＩｏＴクーラーボックス６０が、蓋部６２が閉じたことを検出すると、自動的に、収容部６１に入れられた魚を撮像して画像データを得、これを事業者サーバ２０Ｓに送信するようにしたことにより、極力、釣り人５に対して釣り以外の作業を強いることなく、釣り人５に釣った魚の情報を提供することができる。
【００５８】
［２．第２の実施の形態］
次に、第２の実施の形態について説明する。この第２の実施の形態は、ＩｏＴクーラーボックス６０が、ＩｏＴクーラーボックス６０に入れられた魚を撮像して画像データを得ることにくわえて、得られた画像データを画像解析して魚の種類と数とを特定するようになっている点が、第１の実施の形態とは異なる点である。この点以外の部分については、第１の実施の形態と第２の実施の形態とで同一となっている。ゆえに、ここでは、第１の実施の形態と異なる部分である、事業者サーバ２０Ｓ及びＩｏＴクーラーボックス６０の構成と、釣魚買取サービスの流れについてのみ説明する。尚、第１の実施の形態と区別する為、第２の実施の形態の事業者サーバ２０Ｓについては、以下、事業者サーバ２０Ｓｘとし、ＩｏＴクーラーボックス６０については、以下、ＩｏＴクーラーボックス６０ｘとする。
【００５９】
［２−１．事業者サーバ及びＩｏＴクーラーボックスの構成］
第２の実施の形態による事業者サーバ２０Ｓｘは、図２に示す第１の実施の形態による事業者サーバ２０Ｓから画像処理部２７を省略した構成であり、詳しい説明は省略する。
【００６０】
次に図８を用いて、第２の実施の形態によるＩｏＴクーラーボックス６０ｘの構成について説明する、ＩｏＴクーラーボックス６０ｘは、ＩｏＴクーラーボックス６０の制御部６４を、制御部１００に変更した構成であり、これ以外の部分については、ＩｏＴクーラーボックス６０と同様であり、詳しい説明は省略する。
【００６１】
制御部１００は、事業者サーバ２０Ｓが有している画像処理部２７と同様の画像処理部１０１を有している。すなわち、画像処理部１０１は、カメラ部６６により得られた、収容部６１の内部空間を撮像した画像データを画像解析することで、ＩｏＴクーラーボックス６０に収容されている魚の種類と種類ごとの数とを特定する。制御部１００は、このようにして特定された魚の種類と種類ごとの数とを示す魚種情報を、通信部６７により、事業者サーバ２０Ｓｘに送信する。ＩｏＴクーラーボックス６０ｘの構成は、以上のようになっている。
【００６２】
［２−２．釣魚買取サービスの流れ］
次に、図９に示すシーケンスチャートを用いて、第２の実施の形態による釣魚買取サービスの流れについて説明する。図９に示す第２の実施の形態による釣魚買取サービスの流れは、図６、図７に示す第１の実施の形態による釣魚買取サービスのステップＳＰ８とステップＳＰ９の処理を、ステップＳＰ１００、ＳＰ１０１、ＳＰ１０２の処理に変更したものである。ゆえに、ここでは、ステップＳＰ１００、ＳＰ１０１、ＳＰ１０２の処理とその前後の処理についてのみ説明する。
【００６３】
ステップＳＰ７で、ＩｏＴクーラーボックス６０ｘを登録した後、釣り人５は、釣り場へと向かい、釣りを開始する。そして、魚が釣れると、ＩｏＴクーラーボックス６０ｘの蓋部６２を開いて、釣った魚を収容部６１に入れ、蓋部６２を閉じる。
【００６４】
ＩｏＴクーラーボックス６０ｘの制御部１００は、ステップＳＰ１００において、開閉検知センサ６３により蓋部６２が閉じたことを検出すると、カメラ部６６により、収容部６１の内部空間を撮像して（つまり収容部６１に入れられた魚を撮像して）画像データを得る。
【００６５】
つづくステップＳＰ１０１において、ＩｏＴクーラーボックス６０ｘの制御部１００は、画像処理部１０１により、カメラ部６６により得られた画像データを画像解析することで、ＩｏＴクーラーボックス６０に収容されている魚の種類と種類ごとの数とを特定する。
【００６６】
つづくステップＳＰ１０２において、ＩｏＴクーラーボックス６０ｘの制御部１００は、魚の種類と種類ごとの数とを示す魚種情報を、ボックス識別情報とともに通信部６７により事業者サーバ２０Ｓｘに送信する。
【００６７】
事業者サーバ２０Ｓｘの制御部２１は、第１通信部２３により、ＩｏＴクーラーボックス６０ｘからボックス識別情報とともに魚種情報を受信すると、この魚種情報を、情報管理部２８により記憶管理されている釣り人５の釣り人情報として記憶部２２に記憶管理する。そして事業者サーバ２０Ｓｘの制御部２１は、ステップＳＰ１０において、魚種情報に示されている魚の種類に対応する買取価格を、魚価格取得部２９によって、記憶部２２に記憶管理されている魚情報から取得する。釣魚買取サービスの流れのうち、第１の実施の形態と異なる部分は、以上のようになっている。
【００６８】
［２−３．まとめと効果］
ここまで説明したように、第２の実施の形態では、釣り人５に貸し出されたＩｏＴクーラーボックス６０ｘが、ＩｏＴクーラーボックス６０ｘに入れられた魚を撮像して画像データを得、さらにこの画像データをもとに、ＩｏＴクーラーボックス６０ｘに入れられた魚の種類と種類ごとの数とを特定する。そして、ＩｏＴクーラーボックス６０ｘは、特定した魚の種類と種類ごとの数とを示す魚種情報を、事業者サーバ２０Ｓｘに送信するようにした。
【００６９】
事業者サーバ２０Ｓｘ側では、この魚種情報をもとに、ＩｏＴクーラーボックス６０ｘに入れられた魚の種類に対応する買取価格を取得し、魚の種類及び種類ごとの数と、種類ごとの１匹あたりの買取価格及び合計買取価格と、現在時刻（つまり釣った日時）とを示す買取価格情報を生成して、これを釣り人５の釣り人端末５０に送信するようにした。
【００７０】
このように、第２の実施の形態では、ＩｏＴクーラーボックス６０ｘ側で、釣った魚の種類と種類ごとの数とを特定し、特定した魚の種類と種類ごとの数とを示す魚種情報を、事業者サーバ２０Ｓｘに送信するようにした。こうすることで、第２の実施の形態では、第１の実施の形態と比べて、ＩｏＴクーラーボックス６０ｘから事業者サーバ２０Ｓｘへと送信されるデータのデータ量を抑制することができる。このことは、ＩｏＴクーラーボックス６０ｘから送信するデータのデータ量に制限が設けられているような場合に特に有効である。また、この第２の実施の形態では、事業者サーバ２０Ｓｘに、釣り人５が釣った魚の画像データを保存しないので、第１の実施の形態と比べて、事業者サーバ２０Ｓｘ側に記憶されるデータのデータ量を抑制することもできる。
【００７１】
［３．他の実施の形態］
［３−１．他の実施の形態１］
尚、上述した第１の実施の形態では、ＩｏＴクーラーボックス６０が、カメラ部６６によってＩｏＴクーラーボックス６０に入れられた魚を撮像して画像データを得、この画像データを事業者サーバ２０Ｓに送信するようにした。これに限らず、例えば、釣り人端末５０が、釣り人５の操作により、カメラ部５４でＩｏＴクーラーボックス６０に入れられた魚を撮像して画像データを得、これを釣り人識別情報とともに、事業者サーバ２０Ｓに送信するようにしてもよい。事業者サーバ２０Ｓ側では、釣り人端末５０から受信した画像データを画像解析することで、ＩｏＴクーラーボックス６０に入れられた魚の種類と種類ごとの数とを特定する。
【００７２】
この場合、釣り人５が、ＩｏＴクーラーボックス６０の代わりに、一般的な機能のクーラーボックスを利用することもできる。第２の実施の形態についても同様に、釣り人端末５０が、釣り人５の操作により、カメラ部５４でＩｏＴクーラーボックス６０に入れられた魚を撮像して画像データを得、制御部５１が、この画像データをもとに、ＩｏＴクーラーボックス６０ｘに入れられた魚の種類と種類ごとの数とを特定し、特定した魚の種類と種類ごとの数とを示す魚種情報を、事業者サーバ２０Ｓｘに送信するようにしてもよい。
【００７３】
［３−２．他の実施の形態２］
さらに、上述した第１の実施の形態では、ＩｏＴクーラーボックス６０に、カメラ部６６を設けて、ＩｏＴクーラーボックス６０に入れられた魚を撮像するようにした。さらに図１０に示すようにＩｏＴクーラーボックス６０に温度センサ１１０を設けて、この温度センサ１１０により収容部６１内の温度を検出するようにしてもよい。この場合、ＩｏＴクーラーボックス６０の制御部６４は、例えば、温度センサ１１０の検出値（つまり温度）を一定期間ごと（例えば５分ごと）に取得し、取得した温度と検出日時とを示す温度情報を、ボックス識別情報とともに事業者サーバ２０Ｓに送信する。事業者サーバ２０Ｓの制御部２１は、ＩｏＴクーラーボックス６０から定期的に送信されてくる温度情報を、釣り人５の釣り人情報と紐付けて情報管理部２８により記憶部２２に記憶管理する。
【００７４】
これにより、事業者サーバ２０Ｓの記憶部２２には、釣り人情報として、ＩｏＴクーラーボックス６０内の温度を示す温度情報が蓄積されることになる。この温度情報は、例えば、漁協３の担当者が、漁協端末３０のＷｅｂブラウザを用いて、事業者サーバ２０Ｓが提供する釣魚買取サービスのＷｅｂアプリケーションにアクセスすることで、参照できるようになっている。こうすることで、漁協３の担当者は、ＩｏＴクーラーボックス６０内の温度が低温に保たれていたかどうかを確認することができる。第２の実施の形態についても同様に、ＩｏＴクーラーボックス６０ｘに温度センサを設けてもよい。
【００７５】
［３−３．他の実施の形態３］
さらに上述した第１の実施の形態では、ＩｏＴクーラーボックス６０に、カメラ部６６を設けて、ＩｏＴクーラーボックス６０に入れられた魚を撮像するようにした。さらに図１０に示すようにＩｏＴクーラーボックス６０にＧＰＳなどの測位部１２０を設けて、この測位部１２０からＩｏＴクーラーボックス６０の位置情報を取得するようにしてもよい。
【００７６】
この場合、ＩｏＴクーラーボックス６０の制御部６４は、例えば、カメラ部６６から得られる画像データに、測位部１２０から得られた位置情報と、ボックス識別情報とを紐付けて、事業者サーバ２０Ｓに送信する。事業者サーバ２０Ｓの制御部２１は、ＩｏＴクーラーボックス６０から受信した画像データと、位置情報を、情報管理部２８により記憶管理されている釣り人５の釣り人情報として記憶部２２に記憶管理する。
【００７７】
これにより、事業者サーバ２０Ｓの記憶部２２には、釣り人情報として、魚を釣った位置を示す位置情報が記憶されることになる。この位置情報は、例えば、漁協３の担当者が、漁協端末３０のＷｅｂブラウザを用いて、事業者サーバ２０Ｓが提供する釣魚買取サービスのＷｅｂアプリケーションにアクセスすることで、参照できるようになっている。こうすることで、漁協３の担当者は、ＩｏＴクーラーボックス６０内の魚の産地を確認することができ、魚の産地を買取価格に反映させることができる。第２の実施の形態についても同様に、ＩｏＴクーラーボックス６０ｘに測位部を設けてもよい。
【００７８】
［３−４．他の実施の形態４］
さらに上述した第１及び第２の実施の形態では、漁協３の担当者が、ＩｏＴクーラーボックス６０から魚を取り出してチェックし、魚ごとの買取価格を決定して、買取価格の合計額を計算し、漁協端末３０を用いて、事業者サーバ２０Ｓが提供するＷｅｂアプリケーション上で買取価格の合計額を入力するようにした。ここで、買取価格の合計額だけでなく、魚の種類ごとの単価（１匹の価格）と合計額とを示す買取明細を入力するようにしてもよい。
【００７９】
このようにして、事業者サーバ２０Ｓに入力された買取明細は、事業者サーバ２０Ｓの制御部２１により、買取明細情報として、釣り人５の釣り人端末５０に送信される。これにより、釣り人５は、どの魚がいくらで買い取ってもらえたのかを確認することができる。
【００８０】
［３−５．他の実施の形態５］
さらに上述した第１の実施の形態では、ＩｏＴクーラーボックス６０の蓋部６２の表面に付与されたバーコードでなるボックス識別情報を、釣り人端末５０のカメラ部５４で読み取るようにした。これに限らず、例えば、ＩｏＴクーラーボックス６０の蓋部６２に、ボックス識別情報が登録されたＩＣタグを設けるとともに、釣り人端末５０にＩＣタグリーダを設け、釣り人端末５０をＩｏＴクーラーボックス６０の蓋部６２にかざすことで、釣り人端末５０のＩＣタグリーダが、蓋部６２のＩＣタグからボックス識別情報を読み取るようにしてもよい。
【００８１】
［３−６．他の実施の形態６］
さらに上述した第１の実施の形態では、事業者サーバ２０Ｓの画像処理部２７が、ＩｏＴクーラーボックス６０から送られてきた画像データを画像解析することで、ＩｏＴクーラーボックス６０に収容されている魚の種類と種類ごとの数とを特定するようにした。これに限らず、画像処理部２７が、ＩｏＴクーラーボックス６０から送られてきた画像データを画像解析することで、ＩｏＴクーラーボックス６０に収容されている魚の種類だけを特定するようにしてもよい。この場合、買取価格情報には、魚の種類と、種類ごとの１匹あたりの買取価格と、現在時刻（つまり釣った日時）とが含まれることになる。また、買取価格情報から、現在時刻を省略してもよい。第２の実施の形態についても同様に、ＩｏＴクーラーボックス６０ｘの画像処理部１０１が、カメラ部６６から得られた画像データを解析することで、ＩｏＴクーラーボックス６０に収容されている魚の種類だけを特定するようにしてもよい。
【００８２】
［３−７．他の実施の形態７］
さらに上述した各実施の形態では、本発明を、釣魚情報提供システムの具体例である釣魚買取システム１に適用したが、これに限らず、釣魚買取システム１とは異なるシステム構成の釣魚情報提供システムに適用してもよい。例えば、釣り具店４が、サービス事業者２を兼務していて、釣り具店４が、事業者サーバ２０Ｓ及び事業者端末２０Ｔを所有するようになっていてもよい。さらに上述した各実施の形態では、本発明を、釣魚情報提供装置及びコンピュータの具体例である事業者サーバ２０Ｓ、２０Ｓｘに適用したが、これに限らず、事業者サーバ２０Ｓ、２０Ｓｘとは異なる構成の釣魚情報提供装置に適用してもよい。例えば、アプリケーション処理部２６の一部又は全部を、ソフトウェアではなくハードウェアで実装する釣魚情報提供装置に適用するなどしてもよい。
【００８３】
さらに事業者端末２０Ｔ、漁協端末３０、釣り人端末５０、ＩｏＴクーラーボックス６０、６０ｘについても、上述した各実施の形態と同様の機能を有しているのであれば、上述した各実施の形態とは異なる構成であってもよい。
【００８４】
［３−８．他の実施の形態８］
さらに、本発明は、上述した各実施の形態に限定されるものではない。すなわち本発明は、上述した第１及び第２の実施の形態と他の実施の形態の一部または全部を任意に組み合わせた実施の形態や、一部を抽出した実施の形態にもその適用範囲が及ぶものである。
【産業上の利用可能性】
【００８５】
本発明は、釣り人が釣った魚を買い取ってくれるサービスなどで広く利用することができる。
【符号の説明】
【００８６】
１……釣魚買取システム、２……サービス事業者、３……漁協、４……釣り具店、５……釣り人、２０Ｓ、２０Ｓｘ……事業者サーバ、２０Ｔ……事業者端末、３０……漁協端末、５０……釣り人端末、６０、６０ｘ……ＩｏＴクーラーボックス、２１、３１、５１、６４、１００……制御部、２２、３２、５２、６５……記憶部、２３……第１通信部、２４……第２通信部、２７、１０１……画像処理部、２８……情報管理部、２９……魚価格取得部、３５、５５、６７……通信部、５４、６６……カメラ部、６１……収容部、６２……蓋部、６３……開閉検知センサ、１１０……温度センサ、１２０……測位部。
【図１】
2020140498.tif 000003
【図２】
2020140498.tif 000004
【図３】
2020140498.tif 000005
【図４】
2020140498.tif 000006
【図５】
2020140498.tif 000007
【図６】
2020140498.tif 000008
【図７】
2020140498.tif 000009
【図８】
2020140498.tif 000010
【図９】
2020140498.tif 000011
【図１０】
2020140498.tif 000012